(57)【要約】【課題】ＩＣタグからの応答信号を利用して優先者が支援箇所の近傍に存在することを通知する優先者通知携帯端末を提供する。【解決手段】優先者通知携帯端末１は、優先者の所持する第１のＩＣタグ３と支援箇所に設置された第２のＩＣタグ５とから各々ＩＣタグ情報を読み取るＩＣタグ読取部１１と、読み取ったＩＣタグ情報から優先者であることを示す優先者情報を抽出する優先者情報取得部１２と、読み取ったＩＣタグ情報から支援箇所（優先席４）であることを示す支援情報を抽出する座席情報取得部１３と、優先者情報が取得されかつ支援情報（座席情報）が取得された場合に通知を指示する通知指示部１４と、前記指示に従って通知を行なう通知部１５とを備える。【選択図】図１
2005311731.tif 000002
【特許請求の範囲】
【請求項１】
優先者の所持する第１のＩＣタグと支援箇所に設置された第２のＩＣタグとから、各々、ＩＣタグ情報を読み取るＩＣタグ読取部と、
前記読み取ったＩＣタグ情報から優先者であることを示す優先者情報を抽出する優先者情報取得部と、
前記読み取ったＩＣタグ情報から支援箇所であることを示す支援情報を抽出する支援情報取得部と、
前記優先者情報取得部において前記優先者情報が取得され、かつ、前記支援情報取得部において前記支援情報が取得された場合、所定の通知を指示する通知指示部と、
前記通知指示部からの指示に従って、所定の通知を行なう通知部とを備える
ことを特徴とする優先者通知携帯端末。
【請求項２】
前記支援箇所が優先席であり、
前記第１のＩＣタグが第１の読取距離を有し、前記第２のＩＣタグが前記第１の読取距離よりも十分に短い第２の読取距離を有する
ことを特徴とする請求項１記載の優先者通知携帯端末。
【請求項３】
前記支援箇所が優先席以外の場所であり、
前記第１のＩＣタグと第２のＩＣタグとが相互にほぼ等しい読取距離を有する
ことを特徴とする請求項１記載の優先者通知携帯端末。
【請求項４】
当該優先者通知携帯端末が前記支援箇所の近傍に固定して設置され、
前記通知部が、前記支援箇所から遠隔の位置に設置された他の通信端末に対して、前記通知を行なう
ことを特徴とする請求項３記載の優先者通知携帯端末。
【請求項５】
前記優先者の所持する第１のＩＣタグは、ＩＤの付与された証明書であって公的機関の発行した証明書に添付され、ＩＣタグ情報として前記公的機関によって設定された当該ＩＣタグ情報の有効期間を含み、
前記通知指示部は、前記有効期間を経過している場合、前記優先者情報及び支援情報が取得されても、前記通知を指示しない
ことを特徴とする請求項１記載の優先者通知携帯端末。
【請求項６】
当該優先者通知携帯端末が、更に、
前記読み取ったＩＣタグ情報から本人であることを示す本人情報を抽出する本人情報取得部を備え、
当該優先者通知携帯端末の所持者が前記第１のＩＣタグを所持する優先者である場合、前記通知指示部は、前記本人情報取得部において前記本人情報が取得された場合、前記優先者情報及び支援情報が取得されても、前記通知を指示しない
ことを特徴とする請求項１記載の優先者通知携帯端末。
【請求項７】
優先者通知携帯端末における優先者通知方法であって、
優先者の所持する第１のＩＣタグと支援箇所に設置された第２のＩＣタグとから、各々、ＩＣタグ情報を読み取り、
前記読み取ったＩＣタグ情報から優先者であることを示す優先者情報を抽出し、
前記読み取ったＩＣタグ情報から支援箇所であることを示す支援情報を抽出し、
前記優先者情報が取得され、かつ、前記支援情報が取得された場合、所定の通知を指示し、
前記指示に従って、優先者通知携帯端末から所定の通知を行なう
ことを特徴とする優先者通知方法。
【請求項８】
前記支援箇所が優先席であり、
前記第１のＩＣタグが第１の読取距離を有し、前記第２のＩＣタグが前記第１の読取距離よりも十分に短い第２の読取距離を有し、
前記優先者通知携帯端末の所持者が前記優先席に座っている場合、前記優先席の近傍に近づいた前記優先者を検出して、前記優先者通知携帯端末から通知を出力する
ことを特徴とする請求項７記載の優先者通知方法。
【請求項９】
前記支援箇所が優先席以外の場所であり、
前記第１のＩＣタグと第２のＩＣタグとが相互にほぼ等しい読取距離を有し、
前記優先者が前記支援箇所の近傍に存在する場合、前記支援箇所に近づいた前記優先者通知携帯端末の所持者を検出して、前記優先者通知携帯端末から通知を出力する
ことを特徴とする請求項７記載の優先者通知方法。
【請求項１０】
優先者通知携帯端末を実現するプログラムであって、コンピュータに、
優先者の所持する第１のＩＣタグと支援箇所に設置された第２のＩＣタグとから、各々、ＩＣタグ情報を読み取る処理と、
前記読み取ったＩＣタグ情報から優先者であることを示す優先者情報を抽出する処理と、
前記読み取ったＩＣタグ情報から支援箇所であることを示す支援情報を抽出する処理と、
前記優先者情報が取得され、かつ、前記支援情報が取得された場合、所定の通知を指示する処理と、
前記指示に従って、所定の通知を行なう処理とを実行させる
ことを特徴とする優先者通知プログラム。
【発明の詳細な説明】
【技術分野】
【０００１】
本発明は、優先者通知携帯端末、優先者通知方法及び優先者通知プログラムに関し、特に、優先者及び支援箇所のＩＣタグからの応答信号を利用して優先者が支援箇所の近傍に存在することを通知する携帯電話等の優先者通知携帯端末、優先者通知方法及び優先者通知プログラムに関する。
【背景技術】
【０００２】
例えば、身体障害者は電車の優先席において優先して座席に座れることが望ましい。このように、身体障害者、老人、怪我人、妊婦等の社会生活において優先されるべき人（以下、優先者と言う）は、電車の優先席、公共の場所の休憩席（以下、まとめて優先席と言う）等の優先されるべき場所又は階段、エスカレータ、歩道の段差部分等の支援を必要とする場合（以下、支援箇所と言う）において、優先して座席に座れる等優先される（支援を受けられる）ことが望ましい。しかし、実際には、例えば電車等において「優先席は優先者のためのものであるので、席を譲るように」と言うアナウンスが行なわれる程度である。
【０００３】
なお、人に携帯させたＩＣタグからの応答信号を得て、個別の人の動きや人の動きの全体的傾向の把握、例えば動線レベルでの把握する技術が提案されている（特許文献１参照）。また、来場者に所持させたＩＣタグを用いて、展示物に集まった来場者の個人情報を収集する技術が提案されている（特許文献２参照）。
【特許文献１】特開２００３−２９６６６７号公報
【特許文献２】特開２００４−０９４４３０号公報
【発明の開示】
【発明が解決しようとする課題】
【０００４】
電車の優先席に相応しくない人が座っているために優先者が座れなくても、実際に席を譲ってくれるように頼むのには心理的な負担が大きく、そのままの場合が多い。一方、優先席に座っている人は、自分の前に立っている人が優先者であるか、又は、席を譲って欲しいと思っているか、判断に迷うこともある。また、電車の優先席が既に塞がっている場合、優先者は敢えて優先席に近づかないこともある。このような理由から、優先者が支援箇所で優先される（支援を受けられる）とは限らない。
【０００５】
そこで、優先者が支援箇所の近くにいることを、何らかの電子的手段により他人に知らせることができれば便利である。しかし、優先者の数は極めて多く、また、支援箇所も極めて多い。従って、簡素なシステムでなければ現実的でない。
【０００６】
本発明は、ＩＣタグからの応答信号を利用して優先者が支援箇所の近傍に存在することを通知する優先者通知携帯端末を提供することを目的とする。
【０００７】
また、本発明は、ＩＣタグからの応答信号を利用して優先者が支援箇所の近傍に存在することを通知する優先者通知方法を提供することを目的とする。
【０００８】
また、本発明は、ＩＣタグからの応答信号を利用して優先者が支援箇所の近傍に存在することを通知する優先者通知プログラムを提供することを目的とする。
【課題を解決するための手段】
【０００９】
本発明の優先者通知携帯端末は、優先者の所持する第１のＩＣタグと支援箇所に設置された第２のＩＣタグとから、各々、ＩＣタグ情報を読み取るＩＣタグ読取部と、前記読み取ったＩＣタグ情報から優先者であることを示す優先者情報を抽出する優先者情報取得部と、前記読み取ったＩＣタグ情報から支援箇所であることを示す支援情報を抽出する支援情報取得部と、前記優先者情報取得部において前記優先者情報が取得され、かつ、前記支援情報取得部において前記支援情報が取得された場合、所定の通知を指示する通知指示部と、前記通知指示部からの指示に従って、所定の通知を行なう通知部とを備える。
【００１０】
本発明の優先者通知方法は、優先者通知携帯端末における優先者通知方法であって、優先者の所持する第１のＩＣタグと支援箇所に設置された第２のＩＣタグとから、各々、ＩＣタグ情報を読み取り、前記読み取ったＩＣタグ情報から優先者であることを示す優先者情報を抽出し、前記読み取ったＩＣタグ情報から支援箇所であることを示す支援情報を抽出し、前記優先者情報が取得され、かつ、前記支援情報が取得された場合、所定の通知を指示し、前記指示に従って、優先者通知携帯端末から所定の通知を行なう。
【００１１】
本発明の優先者通知プログラムは、優先者通知携帯端末を実現するプログラムであって、コンピュータに、優先者の所持する第１のＩＣタグと支援箇所に設置された第２のＩＣタグとから、各々、ＩＣタグ情報を読み取る処理と、前記読み取ったＩＣタグ情報から優先者であることを示す優先者情報を抽出する処理と、前記読み取ったＩＣタグ情報から支援箇所であることを示す支援情報を抽出する処理と、前記優先者情報が取得され、かつ、前記支援情報が取得された場合、所定の通知を指示する処理と、前記指示に従って、所定の通知を行なう処理とを実行させる。
【発明の効果】
【００１２】
本発明の優先者通知携帯端末及び優先者通知方法によれば、優先者の所持する第１のＩＣタグと支援箇所に設置された第２のＩＣタグとから、優先者情報が取得されかつ支援情報が取得された場合にのみ、優先者通知携帯端末の所持者に所定の通知を行う。これにより、優先者が支援箇所の近くにいることを、携帯電話等の携帯端末を利用して他人に知らせることができる。例えば、電車の優先席に相応しくない人が座っていて優先者が座れなくても、席を譲ってくれるように頼むことなく、優先者の存在を知らしめて席を譲るように促すことができ、また、優先者の心理的な負担を無くすことができる。また、優先席に座っている人は、自分の前に立っている人が優先者であるか判断に迷うこと無く席を譲ることができ、優先者でない人の心理的な負担を無くすことができる。また、優先者が敢えて優先席に近づかない場合でも、近くに優先者が存在することを知ることができるので、席を譲ることができる。また、階段で老人が重い荷物を持って難渋している場合、その荷物を持ってあげることができる。以上により、双方に無理なく、優先者が支援箇所で優先される（支援を受けられる）ようにすることができる。一方、本発明は、携帯電話等の携帯情報端末にＩＣタグリーダを組み込み、電車の優先席等の支援箇所に安価なＩＣタグを組み込むのみで実現することができる。従って、優先者の数及び支援箇所が極めて多くても、携帯電話等を利用した簡素なシステムであるので、少ないコストで多くの支援箇所で優先者の支援を実現することができる。
【００１３】
本発明の優先者通知プログラムによれば、本発明の優先者通知携帯端末及び優先者通知方法を実現するためのプログラムを、ＣＤ−ＲＯＭ、ＣＤＲ／Ｗ、ＤＶＤ等の記録媒体に格納することにより、又は、インターネット等のネットワークを介してダウンロードすることにより、容易にコンピュータに組み込むことができ、これにより、本発明の優先者通知携帯端末及び優先者通知方法を実現することができる。
【発明を実施するための最良の形態】
【００１４】
図１は優先者通知携帯端末構成図であり、特に、本発明の優先者通知携帯端末の構成の一例を示す。この例は、支援箇所６（図６参照）が優先席４である場合の例である。この例では、後述する図３（Ａ）に示すように、優先者通知携帯端末１の所持者が既に優先席４に座っている場合、優先者通知携帯端末１が優先席４の近傍に近づいた優先者（のＩＣタグ３）を検出して、優先者通知携帯端末１から通知を出力する。
【００１５】
優先者通知携帯端末１は、図１に示すように、ＩＣタグ読取部１１、優先者情報取得部１２、座席情報（支援情報）取得部１３、通知指示部１４、通知部１５を備える。この例では、優先者通知携帯端末１は、例えばコンピュータ及びインターネット接続機能を備える周知の携帯電話からなる。即ち、優先者通知携帯端末１は、携帯電話に、ＩＣタグ読取部１１であるＩＣタグリーダと、優先者情報取得部１２、座席情報取得部１３、通知指示部１４である優先者通知システムとを組み込んだものである。通知部１５は携帯電話の出力機能を利用する。優先者通知携帯端末１は、コンピュータとＩＣタグリーダとを搭載した携帯用の電子機器であれば良く、例えば携帯情報端末（ＰＤＡ）やいわゆる電子手帳にＩＣタグリーダの機能を付加したものであっても良い。
【００１６】
この例では、優先者は第１のＩＣタグ３の添付された証明書２を所持（携帯）している。即ち、第１のＩＣタグ３は優先者と共に移動する。優先者の所持する第１のＩＣタグ３は、ユニークなＩＤの付与された証明書２であって公的機関の発行した証明書２に添付され、ＩＣタグ情報として公的機関によって設定された当該ＩＣタグ情報の有効期間を含む（図２（Ａ）参照）。公的機関は、例えば市役所、保健所、厚生労働省等である。なお、第１のＩＣタグ３は必ずしも証明書２に添付されている必要はなく、容易に携帯可能で紛失しにくい形状とされていれば良い。
【００１７】
図２（Ａ）は第１のＩＣタグ３のＩＣタグ情報（第１のＩＣタグ情報）３１の一例を示す。第１のＩＣタグ情報３１は、証明書ＩＤ、区別情報、有効期間からなる。証明書ＩＤは当該証明書２に付与されたＩＤである。区別情報は、当該優先者の区別を示す情報であり、老人、身体障害者、妊婦等の区別を示し、各々は予め定められた符号（又は値）からなる。有効期間は、当該証明書２即ち第１のＩＣタグ３の有効な期間（の最終の年月日）を示す。第１のＩＣタグ情報３１はＩＣタグ読取部１１（の第１ＩＣタグ読取部１１１）により抽出される。
【００１８】
なお、区別情報としては、例えば周知の乱数発生器により発生した乱数を用いて、容易に盗用されないようにすることが望ましい。また、有効期間毎（例えば、１年毎）に区別情報の値を変更するようにしても良い。この場合、有効期間毎に変更された区別情報の値を、当該優先者通知携帯端末１にインターネットからダウンロードするようにしても良い。また、第１のＩＣタグ情報３１は、証明書ＩＤ、区別情報、有効期間の他に、更に「その他の情報」を格納しても良い。例えば、当該証明書２に記載された当該優先者の住所、氏名、年齢等の種々の情報を「その他の情報」として格納しても良い。
【００１９】
支援箇所６である優先席４には、第２のＩＣタグ５が設置されている。第２のＩＣタグ５は移動することはない。図２（Ｂ）は第２のＩＣタグ５のＩＣタグ情報（第２のＩＣタグ情報）５１の一例を示す。第２のＩＣタグ情報５１は着席フラグからなる。着席フラグは、予め定められた符号（又は値）からなり、ＩＣタグ読取部１１（の第２ＩＣタグ読取部１１２）により抽出される。
【００２０】
ＩＣタグ３及び５は、ＲＦＩＤ（Radio Frequency Identification）とも呼ばれ、例えばＩＣタグ情報を格納するメモリ等からなるＩＣチップとアンテナとを基板上に取り付けることにより構成される。ＩＣタグ３及び５は、ＩＣタグリーダであるＩＣタグ読取部１１からの電波を受信して、当該ＩＣタグ情報をＩＣタグリーダに返信する。この返信された電波をＩＣタグリーダで読み取ることにより、当該ＩＣタグ情報を得ることができる。ＩＣタグ３及び５は、特に小型である必要はなく、例えば証明書２が第１のＩＣタグ３を用いるＩＣカードであっても良く、第２のＩＣタグ５については設置面積の制限はないと考えて良い。
【００２１】
第１のＩＣタグ３は、直接接触することのない優先者を検出するために、非接触型であって、第１の周波数で第１の読取距離で読取可能な（送受信を行なう）ＩＣタグであり、また、優先者が携帯するので、電力伝送を行ない電池を不要とする型である。又は、優先者通知携帯端末１の電池を消耗させないように、第１のＩＣタグ３が電池を使用する型であっても良い。第１のＩＣタグ３は、優先者が携帯しやすく紛失しにくいように、例えばこの例のようにカード型の証明書２に貼付することが望ましい。
【００２２】
第２のＩＣタグ５は、近距離ではあるが接触することはないので、非接触型であって、第１の周波数とは異なる第２の周波数で第１の読取距離とは異なる第２の読取距離で読取可能な（送受信を行なう）ＩＣタグである。優先席に固定的に設けられるので、優先者通知携帯端末１の電池を消耗させないように、第２のＩＣタグ５が電池を使用する型であり（電池を不要とする型でも良い）、また、特に形状は制限されない。
【００２３】
第１のＩＣタグ３は、図３（Ａ）に示すように、第１の読取距離ｒ１を有する。第１の読取距離ｒ１は、例えば約５０ｃｍ〜２００ｃｍであり、第２の読取距離ｒ２よりも十分に長い。半径ｒ１の領域が読取範囲（送受信可能な範囲）である。この距離ｒ１は、優先者通知携帯端末１を所持した人が優先席４に座っている場合において、優先者が優先席４のすぐ前や斜め前（やや離れた位置）に立った場合に、当該優先者通知携帯端末１（のＩＣタグ読取部１１）が第１のＩＣタグ３との間で信号の送受信を行なうことができる距離である。これにより、事実上優先者が優先席４の近傍に存在する場合のみ、ＩＣタグ３を検出することができる。
【００２４】
第２のＩＣタグ５は第１の読取距離ｒ１よりも十分に短い第２の読取距離ｒ２を有する。第２の読取距離ｒ２は、図３（Ａ）に示すように、例えば約３０ｃｍ〜４０ｃｍであり、第１の読取距離ｒ１よりも十分に短い。半径ｒ２の領域が読取範囲（送受信可能な範囲）である。この距離ｒ２は、優先者通知携帯端末１を所持した人が優先席４に座った場合、当該優先者通知携帯端末１（のＩＣタグ読取部１１）が第２のＩＣタグ５との間で信号の送受信を行なうことができる距離である。これにより、事実上当該優先者通知携帯端末１の所持者が優先席４に座った場合のみ、ＩＣタグ５を検出することができる。
【００２５】
従って、この例では、図３（Ａ）に示すように、優先者通知携帯端末１の所持者が、第２のＩＣタグ５を備える優先席４に矢印のように近づいてきて座ると、通常第２のＩＣタグ５の読取範囲ｒ２内に位置するので、第２のＩＣタグ５から座席情報を取得する。この状態で、第１のＩＣタグ３を備える優先者が矢印のように近づいてきて優先席４から読取範囲ｒ１内に入ると、第１のＩＣタグ３から優先者情報を取得する。これにより、この優先者を検出して、優先者通知携帯端末１から通知を出力する。即ち、優先者通知携帯端末１の所持者が支援箇所６（優先席４）に存在する状態で、ここに近づいてくる優先者を検出する。
【００２６】
ＩＣタグ読取部１１は、周知のＩＣタグリーダからなり、優先者の所持する第１のＩＣタグ３と支援箇所６（優先席４）に設置された第２のＩＣタグ５とから、各々、ＩＣタグ情報を読み取る。ＩＣタグ読取部１１にはＩＣタグライタの機能は不要である。ＩＣタグ読取部１１は、異なる２個の第１ＩＣタグ読取部１１１及び第２ＩＣタグ読取部１１２を備え、第１ＩＣタグ読取部１１１により第１の読取範囲ｒ１内の第１のＩＣタグ３のＩＣタグ情報を第１の周波数で読み取り、第２ＩＣタグ読取部１１２により第２の読取範囲ｒ２内の第２のＩＣタグ５のＩＣタグ情報を第２の周波数で読み取る。ＩＣタグ読取部１１は、第１ＩＣタグ読取部１１１及び第２ＩＣタグ読取部１１２による読取の結果を区別することなく、読み取ったＩＣタグ情報毎に所定の記憶領域（図示せず）に格納する。
【００２７】
優先者情報取得部１２は、読み取られ格納されたＩＣタグ情報から優先者であることを示す優先者情報を抽出する。即ち、ＩＣタグ読取部１１が読み取った（全ての）ＩＣタグ情報の中から優先者情報を抽出する。このために、優先者情報取得部１２は、全ての種類の優先者情報（この例では、区別情報）を備え、これらと読み取ったＩＣタグ情報とを比較して一致するものがあるか否かを調べ、一致するもの（即ち、区別情報）がある場合には優先者情報を取得したと判断する。一致するものがない場合には優先者情報を取得しなかったと判断する。
【００２８】
また、優先者情報取得部１２は、優先者情報を取得した場合、図２（Ａ）に示すように、当該優先者情報に続く所定の桁数（例えば、６桁）の値を有効期間として抽出する。例えば、６桁の数値「０４０３３１」を抽出したとすると、有効期間は「２００４（０４）年３（０３）月３１（３１）日」までである。優先者情報取得部１２は、以上の優先者情報の取得の結果と有効期間（抽出した場合）とを通知指示部１４に送る。
【００２９】
座席情報取得部１３は、支援情報取得部であって、読み取られ格納されたＩＣタグ情報から優先席４であることを示す座席情報（支援情報）を抽出する。即ち、ＩＣタグ読取部１１が読み取った（全ての）ＩＣタグ情報の中から座席情報を抽出する。このために、座席情報取得部１３は、着席フラグを備え、これと読み取ったＩＣタグ情報とを比較して一致するものがあるか否かを調べ、一致するもの（即ち、着席フラグ）がある場合には座席情報を取得したと判断する。一致するものがない場合には座席情報を取得しなかったと判断する。座席情報取得部１３は、座席情報の取得の結果を通知指示部１４に送る。
【００３０】
通知指示部１４は、優先者情報取得部１２において優先者情報が取得されたか否かを調べ、座席情報取得部１３において座席情報が取得されたか否かを調べる。そして、通知指示部１４は、優先者情報が取得され、かつ、座席情報が取得された場合、所定の通知を通知部１５に指示する。これにより、当該優先者通知携帯端末１の所持者の近傍に優先者がおり、当該優先者通知携帯端末１の所持者が優先席４に座っている場合にのみ、通知の指示情報が形成される。通知指示部１４は通知の指示を通知部１５に送る。
【００３１】
実際には、通知指示部１４は、優先者情報及び座席情報が取得された場合、当該優先者情報に続く有効期間を用いて、当該有効期間と現在日時とを比較し、現在日時が有効期間内か否かを調べる。現在日時は、例えば当該優先者通知携帯端末１の備えるＣＰＵタイマ（図示せず）から取得される。通知指示部１４は、優先者情報がその有効期間を経過している場合、優先者情報及び座席情報が取得されても、前記通知を指示しない。この時、通知指示部１４が出力手段を指定するようにしても良い。当該指定がない場合、通常、当該所持者にのみ通知するために、振動出力部１５３により出力することが望ましい。
【００３２】
通知部１５は、通知指示部１４からの指示に従って、所定の通知を行なう。通知部１５としては、前述のように、当該優先者通知携帯端末１の備える各種の出力手段を利用する。即ち、呼出音出力部１５１は、呼出音での通知が可能な場合、呼出音で近くに優先者がいる旨を通知する。例えば、当該優先者通知携帯端末１が電話中（音声通話中）である場合である。画像出力部１５２は、画像での通知が可能な場合、画像で近くに優先者がいる旨を通知する。例えば、当該優先者通知携帯端末１が電子メール中（パケット通信中）である場合である。振動出力部１５３は、振動での通知が可能な場合、振動して近くに優先者がいる旨を通知する。例えば、いわゆるマナーモードが設定されている場合である。
【００３３】
図４（Ａ）は優先者通知処理フローであり、図１の優先者通知携帯端末１における優先者通知処理の一例を示す。ＩＣタグ読取部１１が、ＩＣタグ情報を読み取り（ステップＳ１１）、所定の記憶領域に格納する（ステップＳ１２）。座席情報取得部１３が、記憶領域に格納されたＩＣタグ情報から座席情報の取得を行い、その結果を通知指示部１４に送る。優先者情報取得部１２が、記憶領域に格納されたＩＣタグ情報から優先者情報の取得を行い、その結果を通知指示部１４に送る。この後、通知指示部１４が、座席情報取得部１３からの通知に基づいて座席情報が取得できたか否かを調べ（ステップＳ１３）、取得できなかった場合、処理を終了する。取得できた場合、通知指示部１４が、優先者情報取得部１２からの通知に基づいて優先者情報が取得できたか否かを調べ（ステップＳ１４）、取得できなかった場合、処理を終了する。取得できた場合、通知指示部１４が、優先者情報取得部１２からの通知に基づいて当該優先者情報が有効期間内であるか否かを調べ（ステップＳ１５）、有効期間内でない場合、処理を終了する。有効期間内である場合、通知指示部１４が、所定の通知指示を作成して、通知部１５に送る。これを受信した通知部１５は、当該指示に従って、通知を行ない（ステップＳ１６）、処理を終了する。
【００３４】
例えば、優先者通知携帯端末１の所持者が優先席４に座らなければ、座席情報を取得できないので（ステップＳ１３）、通知はなされない。当該所持者が優先席４に座ると座席情報は取得できるが、優先者が近傍にいなければ、優先者情報を取得できないので（ステップＳ１４）、通知はなされない。当該所持者が優先席４に座り優先者が近傍にいると座席情報及び優先者情報は取得できるが、有効期間が切れていれば（ステップＳ１５）、通知はなされない。当該所持者が優先席４に座り有効期間内のＩＣタグ３を添付した証明書２を有する優先者が近傍にいる場合にのみ、座席情報及び優先者情報は取得でき、有効期間内ゆえ、通知が行なわれる。なお、優先者通知携帯端末１の電源が切断されている場合には、一切の処理が行なわれない（以下同じ）。
【００３５】
図５は優先者通知携帯端末構成図であり、特に、本発明の他の優先者通知携帯端末１の構成の一例を示す。この例は、図１の例において、更に、当該優先者通知携帯端末１の所持者が第１のＩＣタグ３を所持する優先者である場合における処理の一例を示す。
【００３６】
この例では、優先者通知携帯端末１は、図１に示す構成に加えて、更に、優先者通知システムの一部として本人情報取得部１６を備える。これにより、優先者通知携帯端末１の所持者（本人）が第１のＩＣタグ３を所持する優先者であることを識別する。当該所持者のＩＣタグ３も、他の優先者のＩＣタグ３と同様に、第１ＩＣタグ読取部１１１により読み取られる。第１ＩＣタグ読取部１１１は、区別情報及び有効期間の他に、証明書ＩＤをも読み取る。
【００３７】
本人情報取得部１６は、読み取られ格納されたＩＣタグ情報から本人であることを示す本人情報を抽出する。即ち、ＩＣタグ読取部１１が読み取った（全ての）ＩＣタグ情報の中から本人情報を抽出する。このために、本人情報取得部１６は、本人の証明書ＩＤを備え、これと読み取ったＩＣタグ情報とを比較して一致するものがあるか否かを調べ、一致するもの（即ち、本人の証明書ＩＤ）がある場合には本人情報を取得したと判断する。一致するものがない場合には本人情報を取得しなかったと判断する。本人の証明書ＩＤは、例えば当該優先者通知携帯端末１である携帯電話のキーを用いて入力すれば良い。本人情報取得部１６は、本人情報の取得の結果を通知指示部１４に送る。
【００３８】
通知指示部１４は、優先者情報及び座席情報に加えて、本人情報取得部１６において本人情報が取得されたか否かを調べる。そして、通知指示部１４は、本人情報が取得された場合、本人情報及び座席情報が取得されても、前記通知を指示しない。これにより、当該優先者通知携帯端末１の所持者が第１のＩＣタグ３（証明書２）を所持する優先者である場合、通知が行なわれることがないので、優先者同士が優先席４を譲り合うような不都合は生じない。
【００３９】
図４（Ｂ）は優先者通知処理フローであり、図５の優先者通知携帯端末１における優先者通知処理の一例を示す。図４（Ａ）と同様にして、ＩＣタグ情報を読み取り（ステップＳ２１）、所定の記憶領域に格納する（ステップＳ２２）。この後、本人情報取得部１６が、記憶領域に格納されたＩＣタグ情報から本人情報の取得を行い、その結果を通知指示部１４に送る。また、図４（Ａ）と同様にして、座席情報の取得及び優先者情報の取得を行い、これらの結果が通知指示部１４に送られる。この後、通知指示部１４が、本人情報取得部１６からの通知に基づいて本人情報が取得できたか否かを調べ（ステップＳ２３）、取得できた場合、処理を終了する。取得できなかった場合、通知指示部１４が、図４（Ａ）のステップＳ１３〜Ｓ１６と同様にして、ステップＳ２４〜Ｓ２７を実行する。
【００４０】
この例では、優先者通知携帯端末１の所持者が第１のＩＣタグ３の所持者であるので、本人情報が取得できる（ステップＳ２３）。従って、当該所持者がたとえ優先席４に座っていて、かつ、他の優先者が優先席４の近傍にいたとしても、当該所持者への通知はなされない。
【００４１】
図６は優先者通知携帯端末構成図であり、特に、本発明の更に他の優先者通知携帯端末１の構成の一例を示す。この例は、支援箇所６が優先席４以外の場所である場合の例である。この例では、後述する図３（Ｂ）に示すように、優先者が既に支援箇所６の近傍に存在する場合、支援箇所６に例えば歩いて近づいた（通りかかった）優先者通知携帯端末１の所持者を検出して、優先者通知携帯端末１から通知を出力する。
【００４２】
この例では、優先席４に代えて、支援箇所６に第２のＩＣタグ５が固定的に設置されている。図２（Ｃ）は第２のＩＣタグ５のＩＣタグ情報（第２のＩＣタグ情報）５１の他の一例を示す。この例では、第２のＩＣタグ情報５１は支援フラグからなる。支援フラグは、予め定められた符号（又は値）からなり、ＩＣタグ読取部１１（の第２ＩＣタグ読取部１１２）により抽出される。
【００４３】
なお、第２のＩＣタグ情報５１は、支援フラグの他に、更に支援種別情報を格納しても良い。支援種別情報は、当該優先者通知携帯端末１の所持者に対してどのような支援が必要かを示す情報である。例えば、通知種別情報が「車椅子」を示す情報である場合、当該通知は車椅子の使用者に対する何らかの支援を求めていることを示す。
【００４４】
この例では、図３（Ｂ）に示すように、第１のＩＣタグ３と第２のＩＣタグ５とが相互にほぼ等しい第３の読取距離ｒ３を有する。第３の読取距離ｒ３は、例えば約１ｍ〜５ｍであり、第１の読取距離ｒ１よりも十分に長い。半径ｒ３の領域が読取範囲（送受信可能な範囲）である。この距離ｒ３は、第１のＩＣタグ３の所持者が支援箇所６の近傍に存在する場合において、当該優先者通知携帯端末１の所持者がその近くを通りかかった場合に、当該優先者通知携帯端末１（のＩＣタグ読取部１１）が第１のＩＣタグ３及び第２のＩＣタグ５の双方との間で信号の送受信を行なうことができる距離である。これにより、事実上優先者通知携帯端末１の所持者が支援箇所６の近傍を通りかかった場合のみ、ＩＣタグ３を検出することができる。なお、ＩＣタグ読取部１１は、周知のように、これとＩＣタグ３又は５とが相対的に移動中であっても、これにかかわらずＩＣタグ情報を読み取ることができる。
【００４５】
従って、この例では、図３（Ｂ）に示すように、優先者が支援箇所６の近傍に存在する場合、優先者通知携帯端末１の所持者が支援箇所６に近づいてきて第１のＩＣタグ３及び第２のＩＣタグ５の双方の読取範囲ｒ３内に位置すると、第１のＩＣタグ３及び第２のＩＣタグ５から優先者情報及び支援情報を取得する。これにより、支援箇所６に近づいた優先者通知携帯端末１の所持者を検出して、優先者通知携帯端末１から通知を出力する。即ち、ＩＣタグ３の所持者が支援箇所６に存在する状態で、ここに近づいてくる優先者通知携帯端末１の所持者を検出する。
【００４６】
なお、この例では、第１のＩＣタグ３と第２のＩＣタグ５とがほぼ等しい第３の読取距離ｒ３を有するので、ＩＣタグ読取部１１は、必ずしも第１ＩＣタグ読取部１１１及び第２ＩＣタグ読取部１１２を備える必要はなく、１個のＩＣタグ読取部からなっていても良い。また、支援情報取得部１３’は、座席情報取得部１３と同様の処理を行い、支援フラグを備え、格納されたＩＣタグ情報から支援箇所６であることを示す支援情報（支援フラグ）を抽出し、支援情報の取得の結果を通知指示部１４に送る。
【００４７】
図７（Ａ）は優先者通知処理フローであり、図６の優先者通知携帯端末における優先者通知処理の一例を示す。図４（Ａ）と同様にして、ＩＣタグ情報を読み取り（ステップＳ３１）、所定の記憶領域に格納し（ステップＳ３２）、支援情報の取得及び優先者情報の取得を行い、これらの結果が通知指示部１４に送られる。この後、通知指示部１４が、図４（Ａ）と同様の処理を行なう。即ち、支援情報が取得できたか否かを調べ（ステップＳ３３）、取得できなかった場合、処理を終了する。取得できた場合、優先者情報が取得できたか否かを調べ（ステップＳ３４）、取得できなかった場合、処理を終了する。取得できた場合、当該優先者情報が有効期間内であるか否かを調べ（ステップＳ３５）、有効期間内でない場合、処理を終了する。有効期間内である場合、所定の通知指示を通知部１５に送り、通知部１５が通知を行ない（ステップＳ３６）、処理を終了する。
【００４８】
例えば、ＩＣタグ３の所持者が支援箇所６の近傍にいなければ、優先者情報又は支援情報のいずれかを取得できないので（ステップＳ３３又はＳ３４）、通知はなされない。優先者通知携帯端末１の所持者がＩＣタグ３の所持者又は支援箇所６の近傍を通らなければ（近傍にいなければ）、同様である。ＩＣタグ３の所持者が支援箇所６の近傍にいて、当該所持者が支援箇所６の近傍にいる場合にのみ、支援情報及び優先者情報を取得でき、有効期間内なら、通知が行なわれる。
【００４９】
図８は優先者通知携帯端末構成図であり、特に、本発明の更に他の優先者通知携帯端末の構成の一例を示す。この例は、図６の例において、更に、当該優先者通知携帯端末１が支援箇所６の近傍に固定して設置され、その通知部１５が、支援箇所６から遠隔の位置に設置された他の通信端末８に対して、通知を行なう例である。具体的には、優先者通知携帯端末１は、特定の個人の所有ではなく、例えば当該駅や公共施設の管理者によって設置され、駅の事務室や公共施設の管理室に設置された通信端末８に、支援箇所６で優先者が支援を待っていることを知らせる。これにより、駅や公共施設の管理者は支援を必要としている優先者を速やかに支援することができ、優先者はあまり待たずに支援を受けることができる。通信端末８は、例えばパーソナルコンピュータからなる。
【００５０】
この例では、通知部１５として、当該優先者通知携帯端末１である携帯電話のインターネット接続機能を通信出力部１５４として利用する。即ち、通知指示部１４から通知の指示があると、通信出力部１５４は、予め定められたＥメールアドレス１５５に対して所定のＥメールを送信する。Ｅメールアドレス１５５は、通信端末８のアドレスである。
【００５１】
図７（Ｂ）は優先者通知処理フローであり、図８の優先者通知携帯端末における優先者通知処理の一例を示す。図７（Ａ）におけるステップＳ３１〜Ｓ３５と同様にして、ステップＳ４１〜Ｓ４５までを実行する。この後、通知部１５が、Ｅメールアドレス１５５を用いて所定の通信端末８に対して、Ｅメールによる通知を行ない（ステップＳ４６）、処理を終了する。
【００５２】
以上、本発明をその実施の形態に従って説明したが、本発明は、その主旨の範囲内において種々の変形が可能である。例えば、図１、図５、図６、図８の優先者通知携帯端末１の構成を相互に組み合わせても良い。具体的には、図５の本人情報取得部１６を図１、図６、図８の優先者通知携帯端末１に設けるようにしても良い。図８の通信出力部１５４を図１、図５の優先者通知携帯端末１に設けるようにしても良い。この場合、端末８を例えば車掌室等に設けて、所定の数以上の通知がある場合には自動的に優先者を支援する旨の車内アナウンスをするようにしても良い。
【産業上の利用可能性】
【００５３】
本発明によれば、優先者通知携帯端末及び優先者通知方法において、優先者情報が取得されかつ座席情報が取得された場合に優先者通知携帯端末の所持者に所定の通知を行うので、優先者が支援箇所の近くにいることを、携帯電話等の携帯端末を利用して他人に知らせることができ、双方に無理なく、優先者が支援箇所で優先される（支援を受けられる）ようにすることができる。一方、本発明によれば、ＩＣタグリーダを組み込んだ携帯情報端末及びＩＣタグのみで実現することができ、優先者の数及び支援箇所が極めて多くても、少ないコストで支援箇所での優先者の支援を実現することができる。
【００５４】
本発明によれば、優先者通知携帯端末及び優先者通知方法を実現するための優先者通知プログラムを、ＣＤ−ＲＯＭ、ＣＤＲ／Ｗ、ＤＶＤ等の記録媒体に格納することにより、又は、インターネット等のネットワークを介してダウンロードすることにより、容易にコンピュータに組み込むことができ、これにより、本発明の優先者通知携帯端末及び優先者通知方法を実現することができる。
【図面の簡単な説明】
【００５５】
【図１】優先者通知携帯端末構成図である。
【図２】優先者通知処理説明図である。
【図３】優先者通知処理説明図である。
【図４】優先者通知処理フローである。
【図５】他の優先者通知携帯端末構成図である。
【図６】更に他の優先者通知携帯端末構成図である。
【図７】優先者通知処理フローである。
【図８】更に他の優先者通知携帯端末構成図である。
【符号の説明】
【００５６】
１    優先者通知携帯端末
２    証明書
３    第１のＩＣタグ
４    優先席
５    第２のＩＣタグ
６    支援箇所
１１    ＩＣタグ読取部
１２    優先者情報取得部
１３    座席情報取得部
１４    通知指示部
１５    通知部
【図１】
2005311731.tif 000003
【図２】
2005311731.tif 000004
【図３】
2005311731.tif 000005
【図４】
2005311731.tif 000006
【図５】
2005311731.tif 000007
【図６】
2005311731.tif 000008
【図７】
2005311731.tif 000009
【図８】
2005311731.tif 000010